(57)【特許請求の範囲】
【請求項１】
角形断面を有する支持柱を中心に１８０度向きを変えて設置される折返し廻り階段の当該支持柱に取り付けられる、段板の内側端部を係合する係合溝が形成された３枚の内廻り側板を用いた折返し廻り階段の段板取付け構造において、
前記３枚の内廻り側板は、前記支持柱の折返し中間部側の側面に取り付けられる第１内廻り側板と、前記支持柱の下り階段部側の側面に取り付けられる第２内廻り側板と、前記支持柱の上り階段部側の側面に取り付けられる第３内廻り側板とからなり、
前記折返し中間部の段板は、前記支持柱の前記折返し中間部側の側面と前記下り階段部側の側面との角部分に配置されるＬ字切欠きを内側端部に備える下段角部段板と、前記支持柱の前記折返し中間部側の側面と前記上り階段部側の側面との角部分に配置されるＬ字切欠きを内側端部に備える上段角部段板とを含んで構成されており、
前記第１内廻り側板における前記下段角部段板の前記Ｌ字切欠が係合される下段の係合溝は、前記第１内廻り側板を横断して形成されると共に、該下段の係合溝の前記下り階段部側の部分が、前記第１内廻り側板の表裏を貫通する貫通溝部となっており、
該下段の係合溝に前記下段角部段板のＬ字切欠きの一方の内側端面を沿わせて該Ｌ字切欠きを係止した状態で、前記貫通溝部に前記下段角部段板のＬ字切欠きの他方の内側端面を挿入させながら、前記貫通溝部の長さの範囲で前記第１内廻り側板が前記支持柱の前記折返し中間部側の側面に沿ってスライド移動可能となっている折返し廻り階段の段板取付け構造。
【請求項２】
前記折返し中間部の段板は、略矩形の平面形状を有する前記下段角部段板と、同じく略矩形の平面形状を有する前記上段角部段板とによる２段の段板によって構成されている請求項１記載の折返し廻り階段の段板取付け構造。
【請求項３】
前記第１内廻り側板は、前記支持柱の前記折返し中間部側の側面に固定された際に、前記貫通溝部よりも下方の部分の前記下り階段部側の側端面を前記支持柱の前記下り階段部側の側面に合致させた状態で、前記貫通溝部よりも上方の部分の側縁部を前記支持柱の前記下り階段部側の側面から前記第２内廻り側板の厚さに相当する幅で突出させることが可能な形状を備えており、前記第２内廻り側板は、前記支持柱の前記下り階段部側の側面に固定された際に、前記係合溝よりも上方の部分の側端面を前記第１内廻り側板の前記突出した側縁部に当接させた状態で、前記係合溝よりも下方の部分の側縁部を、前記支持柱の前記折返し中間部側の側面から突出させて前記第１内廻り側板の前記貫通溝部よりも下方の部分の側端面に当接させることが可能な形状を備えている請求項１又は２記載の折返し廻り階段の段板取付け構造。
【請求項４】
前記第２内廻り側板の前記係合溝よりも上方の部分は、前記第１内廻り側板の、前記支持柱の前記下り階段部側の側面から突出する側縁部の高さより低い高さとなるように設けられている請求項３記載の折返し廻り階段の段板取付け構造。
【請求項５】
前記第１内廻り側板は、前記支持柱の前記折返し中間部側の側面に固定された際に、上段の前記係合溝よりも上方の部分の前記上り階段部側の側端面を前記支持柱の前記上り階段部側の側面に合致させた状態で、上段の前記係合溝よりも下方の部分の側縁部を前記支持柱の前記上り階段部側の側面から前記第３内廻り側板の厚さに相当する幅で突出させることが可能な形状を備えており、前記第３内廻り側板は、前記支持柱の前記上り階段部側の側面に固定された際に、前記係合溝よりも下方の部分の側端面を前記第１内廻り側板の前記突出した側縁部に当接させた状態で、前記係合溝よりも上方の部分の側縁部を、前記支持柱の前記折返し中間部側の側面から突出させて前記第１内廻り側板の上段の前記係合溝よりも上方の部分の側端面に当接させることが可能な形状を備えている請求項１〜４の何れか１項記載の折返し廻り階段の段板取付け構造。
【発明の詳細な説明】
【技術分野】
【０００１】
本発明は、支持柱を中心に１８０度向きを変えて設置される折返し廻り階段の当該支持柱に取り付けられる３枚の内廻り側板を用いた折返し廻り階段の段板取付け構造に関する。
【背景技術】
【０００２】
例えば木造住宅建築物の階段として、屋内の設置スペースや間取り等を考慮して、角形断面を有する支持柱の廻りを廻り込むようにして１８０度向きを変える、折返し廻り階段が設けられる場合がある。折返し廻り階段では、階段の折返し部分において段板の内側端部を幅の狭い支持柱の側面によって支持することになるが、このような支持柱の幅の狭い側面によって、段板の内側端部を安定した状態で支持できるように、角形断面を有する支持柱の折返し中間部側の側面や、下り階段部側の側面や、上り階段部側の側面に、段板の内側端部や蹴込み板の内側端部を係合する係合溝が形成された内廻り側板を各々取り付けて、これらの３枚の内廻り側板を介して段板の内側端部を支持させるようにした階段構造が開発されている（例えば、特許文献１参照）。
【０００３】
また、特許文献１の階段構造では、３枚の内廻り側板は、折返し廻り階段の外側の壁面に沿って取り付けられる、段板の外側端部や蹴込み板の外側端部を係合する係合溝が形成された複数の外廻り側板や、複数の段板等と共に、予め工場等において加工製造された階段ユニットとして製作され、これらを建築現場に搬入して組み付けることによって、効率良く折返し廻り階段を設置することが可能になる。
【先行技術文献】
【特許文献】
【０００４】
【特許文献１】特開２００６−１６９１８号公報
【発明の概要】
【発明が解決しようとする課題】
【０００５】
段板の端部を係合する係合溝が形成された３枚の内廻側板や複数の外廻側板を含む階段ユニットを用いて折返し廻り階段を形成する場合、折返し中間部の各段板が、支持柱の隣接する一対の側面に跨ってこれらの角部に配置されるＬ字形状の切欠きを内側端部に備えるものでなければ、各段板を設置する前に、支持柱の側面や外側の壁面に内廻り側板や外廻り側板を先行して取り付けておき、先行して取り付けられた内廻り側板や外廻り側板の係合溝をガイドとして、これらの係合溝に各段板の内側端部や外側端部を係止して所定の位置まで横方向にスライド移動させることによって、折返し中間部の各段板を安定した状態で設置することが可能である。
【０００６】
しかしながら、階段ユニットが、折返し中間部の段板として、支持柱の隣接する一対の側面に跨ってこれらの角部に配置されるＬ字形状の切欠きを内側端部に備える２枚の段板を含んでいる場合、支持柱の側面や外側の壁面に内廻り側板や外廻り側板を先行して取り付けることが困難になり、これらに設けられた係合溝をガイドとしてスライド移動させて各段板を安定した状態で設置することができなくなる。
【０００７】
すなわち、支持柱の角部に配置されるＬ字形状の切欠きを内側端部に備える段板（図９参照）は、当該Ｌ字形状の切欠き部分を上方又は下方からしか支持柱（図８参照）の角部に納めることができず、先行して取り付けられた内廻り側板や外廻り側板の係合溝に沿って所定の位置まで横方向にスライド移動させることは不可能である。また、支持柱の側面や外側の壁面に内廻り側板や外廻り側板が取り付けられた状態の折返し廻り階段の内々寸法よりも、段板の幅に相当する、内廻り側板に設けられた係合溝の溝底部と外廻り側板に設けられた係合溝の溝底部との間の内々寸法の方が、係合溝の深さの分だけ例えば２０ｍｍ程度大きくなっていることから、内廻り側板及び外廻り側板が双方共に取り付けられた後は、支持柱の角部に配置されるＬ字形状の切欠きを内側端部に備える段板を、上方又は下方から支持柱の角部に納めることは困難である。
【０００８】
ここで、折返し中間部の段板のうちの１枚のみが、支持柱の角部に配置されるＬ字形状の切欠きを内側端部に備える段板である場合には、当該段板の内側端部に内廻り側板を予め取り付けた状態で、内廻り側板と共に段板を折返し中間部に設置することによって、Ｌ字形状の切欠きを支持柱の角部に納めることが可能であるが、折返し中間部の段板のうちの２枚がＬ字形状の切欠きを内側端部に備える段板である場合には、一方の段板のＬ字形状の切欠きを支持柱の角部に納めることができても、他方の段板のＬ字形状の切欠きを支持柱の角部に納めることはできなくなる。
【０００９】
このため、例えば図８に示すような支持柱５１を中心とする折返し廻り階段の階段取付け躯体５０に対して、例えば図９示すような組合わせの、Ｌ字切欠き５２ａを内側端部に備える略矩形の平面形状を有する下段角部段板５２と、Ｌ字切欠き５３ａを内側端部に備える略矩形の平面形状を有する上段角部段板５３とによって折返し中間部５０ａの段板が構成される階段ユニットを用いて、折返し廻り階段を設置する際には、例えば以下のようして折返し中間部５０ａの折返し廻り階段が施工される。
【００１０】
すなわち、図９示す階段ユニットでは、上述の下段角部段板５２及び上段角部段板５３の他、支持柱５１（図８参照）の側面に取り付けられる３枚の内廻り側板５４，５５，５６、折返し廻り階段の外側の壁面５７に沿って取り付けられる外廻り壁面側板５８、折返し廻り階段の内側の壁面５９に沿って取り付けられる内廻り壁面側板６０、下り階段部５０ｂの段板６１、上り階段部５０ｃの段板６２等を含んで構成されている。折返し中間部５０ａ（図８参照）の折返し廻り階段を施工するには、例えば図１０（ａ）に示すように、階段取付け躯体５０（図８参照）による折返し廻り階段の外側の壁面５７に沿って、折返し中間部５０ａの外廻り壁面側板５８を取り付けた後に、図１０（ｂ）に示すように、上段角部段板５３を、Ｌ字切欠き５３ａを支持柱５１の角部に納めるようにしながら、上方から斜めに落とし込むと共に、図１０（ｃ）に示すように、落とし込んだ上段角部段板５３の外側端部を外廻り壁面側板５８の係合溝５８ａに差し込む。
【００１１】
３枚の内廻り側板５４，５５，５６のうち、支持柱５１の折返し中間部５０ａ側の側面に取り付けられる第１内廻り側板５４については、施工現場において、図１０（ｄ）に示すように、下段の係合溝５４ａよりも下方の部分を切断して後付け部５４ｂとして切り離し、残りの部分を先付け部５４ｃとして、図１０（ｅ）に示すように、上段角部段板５３のＬ字切欠き５３ａと、支持柱５１の折返し中間部５０ａ側の側面との間に差し込む。先付け部５４ｃの差し込み作業は、上述のように落とし込んだ上段角部段板５３の外側端部を外廻り壁面側板５８の係合溝５８ａに差し込むことで、上段角部段板５３のＬ字切欠き５３ａ（図９参照）と、支持柱５１の側面との間には隙間が生じるので、この隙間に先付け部５４ｃの上段の係合溝５４ｄの部分を挿入することによって容易に行うことができる。差し込んだ先付け部５４ｃは、一方の側縁部を支持柱５１の下り階段部５０ｂ側の側面に沿わせて所定の高さ位置に位置決めした後に、例えばビス等を打ち込んで支持柱５１の折返し中間部５０ａ側の側面に固定する。
【００１２】
第１内廻り側板５４の先付け部５４ｃを支持柱５１の折返し中間部５０ａ側の側面に固定したら、図１１（ａ）に示すように、下段角部段板５２を、Ｌ字切欠き５２ａ（図９参照）を支持柱５１の角部に納めるようにしながら、下方から斜めに入れ込むと共に、図１１（ｂ）に示すように、入れ込んだ下段角部段板５２の外側端部を外廻り側板５８の係合溝５８ａに差し込み、且つＬ字切欠き５２ａを、固定された先付け部５４ｃの下段の係合溝５４ａの部分に配置する。
【００１３】
しかる後に、図１１（ｃ）に示すように、第１内廻り側板５４の切り離した後付け部５４ｂを、下段角部段板５２の下方から、先付け部５４ｃの下端部に連設接合するよう位置決めして、例えばビス等を打ち込んで支持柱５１の折返し中間部５０ａ側の側面に、先付け部５５ｃと一体となるように固定する。
【００１４】
上述のようにして折返し廻り階段の折返し中間部５０ａに、第１内廻り側板５４と上段角部段板５３及び下段角部段板５２とを取り付けたら、図１２（ａ），（ｂ）に示すように、第１内廻り側板５４の一方の側縁部に連設させて、支持柱５１の下り階段部５０ｂ側の側面に第２内廻り側板５５を取り付けると共に、第１内廻り側板５４の他方の側縁部に連設させて、支持柱５１の上り階段部５０ｃ側の側面に第３内廻り側板５６を取り付ける。さらに、第２内廻り側板５５や第３内廻り側板５６に連設させて、支持柱５１に連続する折返し廻り階段の内側の壁面５９（図８参照）に沿って、下り階段部５０ｂの内廻り壁面側板６０や上り階段部５０ｃの内廻り壁面側板６０を取り付けた後に、引き続いて下り階段部５０ｂや上り階段部５０ｃの段板６１，６２を取り付ける作業を、従来と同様の方法によって行ってゆく。
【００１５】
しかしながら、上記従来の支持柱に取り付けられる３枚の内廻り側板５４，５５，５６を使用した、Ｌ字形状の切欠きを内側端部に備える２枚の段板を含む複数枚の段板の取付け構造によれば、工場等において予め精度良く加工製作された階段ユニットの第１内廻り側板５４を、施工現場で先付け部５４ｃと後付け部５４ｂとに分断したり、分断した先付け部５４ｃと後付け部５４ｂとを下段角部段板５２を取り付けた後に再び接合一体化する作業が必要となり、これらを精度良く分断したり接合一体化する作業に多くの手間を要することになる。また、これらの作業が精度良く行われていないと、設置後の折返し廻り階段にガタツキや隙間、或いは音鳴りの発生等の不具合を生じ易くなる。
【００１６】
本発明は、支持柱に取り付けられる３枚の内廻り側板を使用して、Ｌ字形状の切欠きを内側端部に備える２枚の角部段板を折返し廻り階段の折返し中間部へ取り付ける際に、内廻り側板を切断することなく、効率良く且つ精度良く角部段板を取り付けてゆくことのできる折返し廻り階段の段板取付け構造を提供することを目的とする。
【課題を解決するための手段】
【００１７】
本発明は、角形断面を有する支持柱を中心に１８０度向きを変えて設置される折返し廻り階段の当該支持柱に取り付けられる、段板の内側端部を係合する係合溝が形成された３枚の内廻り側板を用いた折返し廻り階段の段板取付け構造において、前記３枚の内廻り側板は、前記支持柱の折返し中間部側の側面に取り付けられる第１内廻り側板と、前記支持柱の下り階段部側の側面に取り付けられる第２内廻り側板と、前記支持柱の上り階段部側の側面に取り付けられる第３内廻り側板とからなり、前記折返し中間部の段板は、前記支持柱の前記折返し中間部側の側面と前記下り階段部側の側面との角部分に配置されるＬ字切欠きを内側端部に備える下段角部段板と、前記支持柱の前記折返し中間部側の側面と前記上り階段部側の側面との角部分に配置されるＬ字切欠きを内側端部に備える上段角部段板とを含んで構成されており、前記第１内廻り側板における前記下段角部段板の前記Ｌ字切欠が係合される下段の係合溝は、前記第１内廻り側板を横断して形成されると共に、該下段の係合溝の前記下り階段部側の部分が、前記第１内廻り側板の表裏を貫通する貫通溝部となっており、該下段の係合溝に前記下段角部段板のＬ字切欠きの一方の内側端面を沿わせて該Ｌ字切欠きを係止した状態で、前記貫通溝部に前記下段角部段板のＬ字切欠きの他方の内側端面を挿入させながら、前記貫通溝部の長さの範囲で前記第１内廻り側板が前記支持柱の前記折返し中間部側の側面に沿ってスライド移動可能となっている折返し廻り階段の段板取付け構造を提供することにより、上記目的を達成したものである。
【００１８】
そして、本発明の折返し廻り階段の段板取付け構造は、前記折返し中間部の段板が、略矩形の平面形状を有する前記下段角部段板と、同じく略矩形の平面形状を有する前記上段角部段板とによる２段の段板によって構成されていることが好ましい。
【００１９】
また、本発明の折返し廻り階段の段板取付け構造は、前記第１内廻り側板が、前記支持柱の前記折返し中間部側の側面に固定された際に、前記貫通溝部よりも下方の部分の前記下り階段部側の側端面を前記支持柱の前記下り階段部側の側面に合致させた状態で、前記貫通溝部よりも上方の部分の側縁部を前記支持柱の前記下り階段部側の側面から前記第２内廻り側板の厚さに相当する幅で突出させることが可能な形状を備えており、前記第２内廻り側板は、前記支持柱の前記下り階段部側の側面に固定された際に、前記係合溝よりも上方の部分の側端面を前記第１内廻り側板の前記突出した側縁部に当接させた状態で、前記係合溝よりも下方の部分の側縁部を、前記支持柱の前記折返し中間部側の側面から突出させて前記第１内廻り側板の前記貫通溝部よりも下方の部分の側端面に当接させることが可能な形状を備えていることが好ましい。
【００２０】
さらに、本発明の折返し廻り階段の段板取付け構造は、前記第２内廻り側板の前記係合溝よりも上方の部分が、前記第１内廻り側板の、前記支持柱の前記下り階段部側の側面から突出する側縁部の高さより低い高さとなるように設けられていることが好ましい。
【００２１】
さらにまた、本発明の折返し廻り階段の段板取付け構造は、前記第１内廻り側板が、前記支持柱の前記折返し中間部側の側面に固定された際に、上段の前記係合溝よりも上方の部分の前記上り階段部側の側端面を前記支持柱の前記上り階段部側の側面に合致させた状態で、上段の前記係合溝よりも下方の部分の側縁部を前記支持柱の前記上り階段部側の側面から前記第３内廻り側板の厚さに相当する幅で突出させることが可能な形状を備えており、前記第３内廻り側板は、前記支持柱の前記上り階段部側の側面に固定された際に、前記係合溝よりも下方の部分の側端面を前記第１内廻り側板の前記突出した側縁部に当接させた状態で、前記係合溝よりも上方の部分の側縁部を、前記支持柱の前記折返し中間部側の側面から突出させて前記第１内廻り側板の上段の前記係合溝よりも上方の部分の側端面に当接させることが可能な形状を備えていることが好ましい。
【発明の効果】
【００２２】
本発明の折返し廻り階段の段板取付け構造によれば、支持柱に取り付けられる３枚の内廻り側板を使用して、Ｌ字形状の切欠きを内側端部に備える２枚の角部段板を折返し廻り階段の折返し中間部へ取り付ける際に、内廻り側板を切断することなく、効率良く且つ精度良く角部段板を取り付けてゆくことができる。
【図面の簡単な説明】
【００２３】
【図１】本発明の好ましい一実施形態に係る折返し廻り階段の段板取付け構造を説明する、折返し廻り階段の外側の壁面及び内側の壁面を省略した状態で示す略示斜視図である。
【図２】本発明の好ましい一実施形態に係る折返し廻り階段の段板取付け構造を説明する、（ａ）は内廻り側板の分解斜視図、（ｂ）は折返し廻り階段の内側の壁面及び段板を省略した状態で示す要部斜視図である。
【図３】第１内廻り側板、第２内廻り側板、及び第３内廻り側板の正面図である。
【図４】本発明の好ましい一実施形態に係る折返し廻り階段の段板取付け構造の施工状況を説明する、（ａ）は要部斜視図、（ｂ）は要部断面図である。
【図５】本発明の好ましい一実施形態に係る折返し廻り階段の段板取付け構造の施工状況を説明する、（ａ）は要部斜視図、（ｂ）は要部断面図である。
【図６】（ａ）、（ｂ）は、本発明の好ましい一実施形態に係る折返し廻り階段の段板取付け構造の施工状況を説明する要部断面図である。
【図７】（ａ）、（ｂ）は、本発明の好ましい一実施形態に係る折返し廻り階段の段板取付け構造の施工状況を説明する要部斜視図である。
【図８】折返し廻り階段が設けられる階段取付け躯体の平断面図である。
【図９】従来の階段ユニットの構成を説明する分解正面図である。
【図１０】（ａ）〜（ｅ）は、従来の折返し廻り階段の段板取付け構造の施工状況を説明する要部断面図である。
【図１１】（ａ）〜（ｃ）は、従来の折返し廻り階段の段板取付け構造の施工状況を説明する要部断面図である。
【図１２】従来の折返し廻り階段の段板取付け構造を説明する、（ａ）は内廻り側板の分解斜視図、（ｂ）は折返し廻り階段の内側の壁面及び段板を省略した状態で示す要部斜視図である。
【図１３】本発明の好ましい他の実施形態に係る折返し廻り階段の段板取付け構造を説明する平断面図である。
【図１４】本発明の好ましい他の実施形態に係る折返し廻り階段の段板取付け構造に用いる第１内廻り側板、第２内廻り側板、及び第３内廻り側板の正面図である。
【図１５】（ａ）、（ｂ）は、本発明の好ましい他の実施形態に係る折返し廻り階段の段板取付け構造の施工状況を説明する要部断面図である。
【発明を実施するための形態】
【００２４】
図１に示す本発明の好ましい一実施形態に係る折返し廻り階段の段板取付け構造１０は、上述の従来の段板取付け構造と同様に、例えば図８に示す階段取付け躯体５０に対して、後述する３枚の内廻り側板１１，１２，１３の他は図９に示す階段ユニットと同様の構成を有する階段ユニットを用いて、階段取付け躯体５０の折返し中間部５０ａに、Ｌ字形状の切欠き（Ｌ字切欠き）５２ａ，５３ａを内側端部の角部分に備える２枚の角部段板５２，５３を、効率良く且つ精度良く取り付けてゆくための構造として採用されたものである。
【００２５】
すなわち、本実施形態の折返し廻り階段の段板取付け構造１０は、角形断面を有する支持柱５１を中心に１８０度向きを変えて設置される折返し廻り階段の当該支持柱５１に取り付けられる、段板５２，５３の内側端部を係合する係合溝１１ａ，１１ｂ，１２ａ，１３ａが形成された３枚の内廻り側板１１，１２，１３を用いた段板取付け構造において、図２（ａ），（ｂ）及び図３にも示すように、３枚の内廻り側板１１，１２，１３は、支持柱５１の折返し中間部５０ａ側の側面５１ａに取り付けられる第１内廻り側板１１と、支持柱５１の下り階段部５０ｂ側の側面５１ｂに取り付けられる第２内廻り側板１２と、支持柱５１の上り階段部５０ｃ側の側面５１ｃに取り付けられる第３内廻り側板１３とからなり、折返し中間部５０ａの段板は、支持柱５１の折返し中間部５０ａ側の側面５１ａと下り階段部５０ｂ側の側面５１ｂとの角部分に配置されるＬ字切欠き５２ａを内側端部に備える下段角部段板５２と、支持柱５１の折返し中間部５０ａ側の側面５１ａと上り階段部５０ｃ側の側面５１ｃとの角部分に配置されるＬ字切欠き５３ａを内側端部に備える上段角部段板５３とを含んで構成されている。
【００２６】
そして、第１内廻り側板１１における下段角部段板５２のＬ字切欠き５２ａ（図９参照）が係合される下段の係合溝１１ａは、第１内廻り側板１１を横方向に横断して形成されると共に、この下段の係合溝１１ａの下り階段部５０ｂ側の部分が、第１内廻り側板１１の表裏を貫通する貫通溝部１１ａ’となっており、図４（ａ），（ｂ）及び図５（ａ），（ｂ）に示すように、この下段の係合溝１１ａに下段角部段板５２のＬ字切欠き５２ａの一方の内側端面５２ａ’（図９参照）を沿わせてＬ字切欠き５２ａを係止した状態で、貫通溝部１１ａ’に下段角部段板５２のＬ字切欠き５２ａの他方の内側端面５２ａ”（図９参照）の基端部分を挿入させながら、貫通溝部１１ａ’の長さの範囲で第１内廻り側板１１が支持柱５１の折返し中間部５０ａ側の側面５１ａに沿ってスライド移動可能となっている（図５（ａ），（ｂ）参照）。
【００２７】
また、本実施形態では、図９に示す階段ユニットと同様に、折返し中間部５０ａの段板は、略矩形（略正方形を含む）の平面形状を有する下段角部段板５２と、同じく略矩形（略正方形を含む）の平面形状を有する上段角部段板５３とによる、Ｌ字形状の切欠きを内側端部に備える２段の角部段板によって構成されている。
【００２８】
本実施形態では、支持柱５１の折返し中間部５０ａ側の側面５１ａに取り付けられる第１内廻り側板１１は、図２（ａ），（ｂ）及び図３に示すように、例えば厚さが２０ｍｍ程度の板部材からなり、階段の勾配に対応させて上辺部分を斜めに切り欠いた、縦長帯状の平面形状を備える。第１内廻り側板１１の表面には、その略中央部分を幅方向に横断して、下段角部段板５２の端縁部を挿入係止することが可能な幅を有する下段の係合溝１１ａが、例えば１０ｍｍ程度の深さで切欠き形成されていると共に、下段の係合溝１１ａの下り階段部５０ｂ側の略半分の部分が、上述のように、第１内廻り側板１１の表裏を貫通する貫通溝部１１ａ’となっている。
【００２９】
また、第１内廻り側板１１の表面には、その上部に幅方向中央部分まで延設して、上段角部段板５３の端縁部を挿入係止することが可能な幅を有する上段の係合溝１１ｂが、例えば１０ｍｍ程度の深さで切欠き形成されている。第１内廻り側板１１の表面の幅方向中央部分を縦方向に延設して、蹴込み板６３（図１参照）の端縁部を挿入係止することが可能な縦方向係合溝１１ｃが設けられている。
【００３０】
支持柱５１の下り階段部５０ｂ側の側面５１ｂに取り付けられる第２内廻り側板１２は、例えば厚さが２０ｍｍ程度の板部材からなり、階段の勾配に対応させて上辺部分を斜めに切り欠いた、第１内廻り側板１１の幅の１／２程度の幅を有する縦長帯状の平面形状を備える。第２内廻り側板１２の表面には、幅方向に横断して、下段角部段板５２の端縁部を挿入係止することが可能な幅を有する係合溝１２ａが、例えば１０ｍｍ程度の深さで切欠き形成されている。また第２内廻り側板１２の表面には、第１内廻り側板１１との接合部分とは反対側の側縁部に沿って縦方向に延設して、下り階段部５０ｂの内廻り壁面側板６０（図２（ｂ）参照）との間で蹴込み板６３（図１参照）の端縁部を係止することが可能な縦方向係合溝１２ｂが設けられている。
【００３１】
支持柱５１の上り階段部５０ｃ側の側面５１ｃに取り付けられる第３内廻り側板１３は、例えば厚さが２０ｍｍ程度の板部材からなり、階段の勾配に対応させて上辺部分を斜めに切り欠いた、第１内廻り側板１１の幅の１／２程度の幅を有する縦長帯状の平面形状を備える。第３内廻り側板１３の表面には、その略中央部分を幅方向に横断して、上段角部段板５３の端縁部を挿入係止することが可能な幅を有する係合溝１３ａが、例えば１０ｍｍ程度の深さで切欠き形成されている。また第３内廻り側板１３の表面には、その上部の第１内廻り側板１１との接合部分とは反対側の側縁部を切り欠いて、上り階段部５０ｃに取り付けられる段板６２（図１参照）の端縁部を係止することが可能な係合凹部溝１３ｂが切欠き形成されている。
【００３２】
なお、本実施形態では、第２内廻り側板１２や第３内廻り側板１３に連設させて、支持柱５１に連続する折返し廻り階段の内側の壁面５９（図８参照）に沿って下り階段部５０ｂや上り階段部５０ｃに取り付けられる内廻り壁面側板６０（図２（ｂ）参照）は、図９に示す階段ユニットのものと同様の構成を備えている。
【００３３】
そして、本実施形態では、第１内廻り側板１１は、支持柱５１の折返し中間部５０ａ側の側面５１ａに固定された際に、貫通溝部１１ａ’よりも下方の部分の下り階段部５０ｂ側の側端面１１ｄを支持柱５１の下り階段部５０ｂ側の側面５１ｂに合致させた状態で、貫通溝部１１ａ’よりも上方の部分の側縁部１１ｅを支持柱５１の下り階段部側５０ｂの側面５１ｂから第２内廻り側板１２の厚さに相当する幅で突出させることが可能な形状を備えており、第２内廻り側板１２は、支持柱５１の下り階段部５０ｂ側の側面５１ｂに固定された際に、係合溝１２ａよりも上方の部分の側端面１２ｃを第１内廻り側板１１の突出した側縁部１１ｅに当接させた状態で、係合溝１２ａよりも下方の部分の側縁部１２ｄを、支持柱５１の折返し中間部５０ａ側の側面５１ａから突出させて第１内廻り側板１１の貫通溝部１１ａ’よりも下方の部分の側端面１１ｄに当接させることが可能な形状を備えている。
【００３４】
また、本実施形態では、第１内廻り側板１１は、支持柱５１の折返し中間部５０ａ側の側面５１ａに固定された際に、上段の係合溝１１ｂよりも上方の部分の上り階段部５０ｃ側の側端面１１ｆを支持柱５１の上り階段部５０ｃ側の側面５１ｃに合致させた状態で、上段の係合溝１１ｂよりも下方の部分の側縁部１１ｇを支持柱５１の上り階段部５０ｃ側の側面５１ｃから第３内廻り側板１３の厚さに相当する幅で突出させることが可能な形状を備えており、第３内廻り側板１３は、支持柱５１の上り階段部５０ｃ側の側面５１ｃに固定された際に、係合溝１３ａよりも下方の部分の側端面１３ｃを第１内廻り側板１１の突出した側縁部１１ｇに当接させた状態で、係合溝１３ａよりも上方の部分の側縁部１３ｄを、支持柱５１の折返し中間部５０ａ側の側面５１ａから突出させて第１内廻り側板１１の上段の係合溝１１ｂよりも上方の部分の側端面１１ｆに当接させることが可能な形状を備えている。
【００３５】
これらによって、支持柱５１における下段角部段板５２や上段角部段板５３の内側端部が取り付けられる位置において、折返し中間部５０ａ側の側面５１ａに固定される第１内廻り側板１１、下り階段部５０ｂ側の側面５１ｂに固定される第２内廻り側板１２、及び上り階段部５０ｃ側の側面５１ｃに固定される第３内廻り側板１３が、支持柱５１の角部分で上下に互いに噛み合って配置されることになるので、これらの内廻り側板１１，１２，１３の一体性を向上させて、さらに強固に且つ安定した状態で、下段角部段板５２や上段角部段板５３の内側端部を支持することが可能になる。
【００３６】
さらに、本実施形態では、上辺部分が斜めに切り欠かれた第２内廻り側板１２の係合溝１２ａよりも上方の部分は、上辺部分が斜めに切り欠かれた第１内廻り側板１１の、支持柱５１の下り階段部側５０ｂの側面５１ｂから突出する貫通溝部１１ａ’よりも上方の部分の側縁部１１ｅの高さｈ1より低い高さｈ2（図２（ａ）参照）として、好ましくは当該側縁部１１ｅの高さｈ1の４０〜５５％程度の高さｈ2となるように設けられている。
【００３７】
これによって、支持柱５１の角部分で連設する第１内廻り側板１１及び第２内廻り側板１２による、支持柱５１の周囲の良好な意匠性を保持しつつ、下段角部段板５２の上方に露出する部分の第２内廻り側板１２の高さｈ2が過度に高くなるのを抑制して、支持柱５１と第２内廻り側板１２との間に隙間が生じるのを効果的に回避することが可能になる。
【００３８】
そして、上述の構成を備える３枚の内廻り側板１１，１２，１３と、Ｌ字切欠き５２ａ，５３ａを内側端部に備える角部段板５２，５３とを含む階段ユニットを用いた本実施形態の折返し廻り階段の段板取付け構造１０は、例えば以下のようにして、折返し中間部５０ａの折返し廻り階段をスムーズに施工することができる。
【００３９】
すなわち、折返し中間部５０ａの折返し廻り階段を施工するには、例えば図４（ａ），（ｂ）に示すように、階段取付け躯体５０（図８参照）による折返し廻り階段の外側の壁面５７に沿って取り付けた外廻り壁面側板５８の係合溝５８ａに下段角部段板５２の外側端部を差し込むと共に、Ｌ字切欠き５２ａを支持柱５１の角部に納めるようにして、下段角部段板５２を折返し中間部５０ａに配設する。また、配設した下段角部段板５２に対して、第１内廻り側板１１を、下段角部段板５２のＬ字切欠き５２ａの一方の内側端面５２ａ’と支持柱５１の折返し中間部５０ａ側の側面５１ａとの間の隙間に、貫通溝部１１ａ’を有する下段の係合溝１１ａを横方向から差し込んで、下段の係合溝１１ａにＬ字切欠き５２ａの一方の内側端面５２ａ’を沿わせてＬ字切欠５２ａに係止した状態で、当該第１内廻り側板１１を下段角部段板５２に取り付ける。
【００４０】
図４（ｂ）に示す第１内廻り側板１１を下段角部段板５２に取り付けた状態では、貫通溝部１１ａ’に下段角部段板５２のＬ字切欠き５２ａの他方の内側端面５２ａ”（図４（ａ）参照）の基端部分を挿入させながら、貫通溝部１１ａ’の長さの範囲で第１内廻り側板１１を、支持柱５１の折返し中間部５０ａ側の側面５１ａに沿って横方向にスライド移動させることが可能なので、図５（ａ），（ｂ）に示すように、第１内廻り側板１１を、下り階段部５０ｂの外側の壁面５７側にスライド移動させる。
【００４１】
これによって、図６（ａ）に示すように、上段角部段板５３を上方から斜めに落とし込む際に邪魔にならない位置まで第１内廻り側板１１を下り階段部５０ｂ側に移動させることが可能になる。第１内廻り側板１１を邪魔にならない位置まで移動させたら、上段角部段板５３の外側端部を、折返し廻り階段の外側の壁面５７に沿って取り付けた外廻り壁面側板５８の係合溝５８ａに差し込むと共に、Ｌ字切欠き５３ａを支持柱５１の角部に納めるようにしながら、好ましくは下段角部段板５２との間に蹴込み板６３（図７（ａ），（ｂ）参照）を挟み込みつつ、上段角部段板５３を上方から斜めに落とし込んで、図６（ｂ）に示すように、上段角部段板５３を、これのＬ字切欠き５３ａを第１内廻り側板１１の上段の係合溝１１ｂの高さ位置に配設した状態で折返し中間部５０ａに配置する。
【００４２】
しかる後に、図６（ｂ）に示すように、第１内廻り側板１１を上り階段部５０ｃの外側の壁面５７側にスライド移動させ、上段の係合溝１１ｂを、上段角部段板５３のＬ字切欠き５３ａの一方の内側端面と、支持柱５１の折返し中間部５０ａ側の側面５１ａとの間の隙間に差し込んで、Ｌ字切欠き５３ａに上段の係合溝１１ｂを係止する。また、第１内廻り側板１１を、貫通溝部１１ａ’よりも下方の部分の下り階段部５０ｂ側の側端面１１ｄが支持柱５１の下り階段部５０ｂ側の側面５１ｂに合致するように位置決めした状態で、例えばビス等を打ち込んで支持柱５１の折返し中間部５０ａ側の側面５１ａに固定する。これによって、Ｌ字切欠き５２ａ，５３ａを内側端部に備える下段角部段板５２及び上段角部段板５３を、折返し廻り階段の折返し中間部５０ａに、効率良く且つ精度良く、安定した状態で取り付けることが可能になる。
【００４３】
内側端部を第１内廻り側板１１によって支持した状態で折返し中間部５０ａに下段角部段板５２及び上段角部段板５３を取り付けたら、図７（ａ），（ｂ）に示すように、第２内廻り側板１２を、これの係合溝１２ａを下段角部段板５２のＬ字切欠き５２ａに係合させた状態で支持柱５１の下り階段部５０ｂ側の側面５１ｂに固定すると共に、第３内廻り側板１３を、これの係合溝１３ａを上段角部段板５３のＬ字切欠き５３ａに係合させた状態で支持柱５１の上り階段部５０ｃ側の側面５１ｃに固定する。
【００４４】
第２内廻り側板１２や第３内廻り側板１３を取り付けたら、図２（ｂ）に示すように、これらのの内廻り側板１２，１３に連設させて、支持柱５１に連続する折返し廻り階段の内側の壁面５９（図８参照）に沿って、下り階段部５０ｂの内廻り壁面側板６０や上り階段部５０ｃの内廻り壁面側板６０を取り付けた後に、引き続いて下り階段部５０ｂや上り階段部５０ｃの段板６１，６２を取り付ける作業を、従来と同様の方法によって行ってゆくことができる。
【００４５】
したがって、本実施形態の折返し廻り階段の段板取付け構造１０によれば、上述のように、支持柱５１の折返し中間部５０ａ側の側面５１ａに取り付けられる第１内廻り側板１１は、下段角部段板５２のＬ字切欠き５２ａが係合される下段の係合溝１１ａの下り階段部５０ｂ側の部分が、第１内廻り側板１１の表裏を貫通する貫通溝部１１ａ’となっており、下段角部段板５２を折返し中間部５０ａに配置した後に、貫通溝部１１ａ’の長さの範囲で第１内廻り側板１１が支持柱５１の折返し中間部５０ａ側の側面５１ａに沿ってスライド移動可能となっているので、支持柱５１に取り付けられる３枚の内廻り側板１１，１２，１３を使用して、Ｌ字形状の切欠き５２ａ，５３ａを内側端部に備える２枚の角部段板５２，５３を折返し廻り階段の折返し中間部５０ａへ取り付ける際に、いずれの内廻り側板１１，１２，１３も切断する必要がなく、工場等において予め精度良く加工製作された内廻り側板１１，１２，１３をそのまま使用して、効率良く且つ精度良く角部段板５２，５３を取り付けてゆくことが可能になる。
【００４６】
図１３〜図１５は、本発明の好ましい他の実施形態に係る折返し廻り階段の段板取付け構造２０を説明するものである。本他の実施形態の段板取付け構造２０では、折返し廻り階段の折返し中間部５０ａは、下段側からＮo.１〜Ｎo.６の６枚の段板２１，２２，２３，２４，２５，２６によって構成されており、これらの段板のうち、Ｎo.２の段板２２とＮo.５の段板２５とが、Ｌ字切欠き２２ａ，２５ａを内側端部に備える角部段板となっている。本他の実施形態の段板取付け構造２０では、Ｎo.２の段板２２とＮo.５の段板２５とを折返し中間部５０ａに先行して取り付けた後に、Ｎo.１の段板２１とＮo.３の段板２３とＮo.４の段板２４とＮo.６の段板２６は、順不同で、両側の側縁部を内廻り側板２７，２８，２９や外廻り側板の係合溝に係止して所定の位置まで横方向にスライド移動させることによって、折返し中間部５０ａに取り付けることができるようになっている。
【００４７】
また、本他の実施形態の段板取付け構造２０では、図１４に示すように、支持柱５１の折返し中間部５０ａ側の側面５１ａに取り付けられる第１内廻り側板２７の表面には、その下部を幅方向に横断して、Ｎo.２の角部段板２２の端縁部を挿入係止することが可能な幅を有する最下段の係合溝２７ａが設けられており、この最下段の係合溝２７ａの下り階段部５０ｂ側の略半分の部分は、当該角部段板２２の表裏を貫通する貫通溝部２７ａ’となっている。
【００４８】
そして、本他の実施形態の段板取付け構造２０によっても、図１５（ａ），（ｂ）に示すように、第１内廻り側板２７をＮo.２の角部段板２２に取り付けた状態では、貫通溝部２７ａ’に、Ｎo.２の角部段板２２のＬ字切欠き２２ａの他方の内側端面の基端部分を挿入させながら、貫通溝部２２ａ’の長さの範囲で第１内廻り側板２７を横方向にスライド移動させることが可能なので、Ｎo.５の角部段板２５を上方から斜めに落とし込む際に邪魔にならない位置まで第１内廻り側板２７を下り階段部５０ｂ側に移動させ、Ｎo.５の角部段板２５を所定の高さに配置した後に、第１内廻り側板２７を上り階段部５０ｃ側に再びスライド移動させて固定することで、上記実施形態の段板取付け構造１０と同様の作用効果が奏される。
【００４９】
なお、本発明は上記実施形態に限定されることなく種々の変更が可能である。例えば、第１内廻り側板や第２内廻り側板や第３内廻り側板は、支持柱の角部分で上下に互いに噛み合って配置される形状に形成される必要は必ずしもなく、また第２内廻り側板の係合溝よりも上方の部分は、第１内廻り側板の突出した側縁部の高さと同様の高さで設けられていても良い。
【符号の説明】
【００５０】
１０，２０  折返し廻り階段の段板取付け構造
１１，２７  第１内廻り側板
１１ａ  下段の係合溝
１１ａ’  貫通溝部
１１ｂ  上段の係合溝
１１ｄ  貫通溝部よりも下方の部分の下り階段部側の側端面
１１ｅ  貫通溝部よりも上方の部分の側縁部
１１ｆ  上段の係合溝よりも上方の部分の上り階段部側の側端面
１１ｇ  上段の係合溝よりも下方の部分の側縁部
１２，２８  第１内廻り側板
１２ａ  係合溝
１２ｃ  係合溝よりも上方の部分の側端面
１２ｄ  係合溝よりも下方の部分の側縁部
１３，２９  第３内廻り側板
１３ａ  係合溝
１３ｃ  係合溝よりも下方の部分の側端面
１３ｄ  係合溝よりも上方の部分の側縁部
２２，２５  角部段板
５０  階段取付け躯体
５０ａ  折返し中間部
５０ｂ  下り階段部
５０ｃ  上り階段部
５１  支持柱
５１ａ  折返し中間部側の側面
５１ｂ  下り階段部側の側面
５１ｃ  上り階段部側の側面
５２  下段角部段板
５２ａ  Ｌ字切欠き
５２ａ’  一方の内側端面
５２ａ”  他方の内側端面
５３  上段角部段板
５３ａ  Ｌ字切欠き
５７  外側の壁面
５８  外廻り壁面側板
５９  内側の壁面
６０  内廻り壁面側板
【図１】
0005631713.tif 000002
【図２】
0005631713.tif 000003
【図３】
0005631713.tif 000004
【図４】
0005631713.tif 000005
【図５】
0005631713.tif 000006
【図６】
0005631713.tif 000007
【図７】
0005631713.tif 000008
【図８】
0005631713.tif 000009
【図９】
0005631713.tif 000010
【図１０】
0005631713.tif 000011
【図１１】
0005631713.tif 000012
【図１２】
0005631713.tif 000013
【図１３】
0005631713.tif 000014
【図１４】
0005631713.tif 000015
【図１５】
0005631713.tif 000016